(57)【要約】【課題】地震の縦揺れ及び横揺れに対応でき、しかも、構造が簡単で強風によって建物構造物が移動することがなく、縦揺れ及び横揺れの振動に対する減衰効果の優れた免震装置を提供する。【解決手段】円盤状となる下部材２の直上に対向して配置する上部材３の中央部に下部が一段小径となる筒孔９を設け、この筒孔９内の下部にスリーブ１２を上下動可能に組み込み、前記筒孔９内の上部にねじ込んだねじ付き蓋１１とスリーブ１２の間に縦揺れを吸収するためのスプリング１３を縮設し、前記スリーブ１２の下部で、下部材２上へ当接する中央大鋼球４ａとこの中央大鋼球４ａを上部から支える３個以上の小鋼球４ｂをそれぞれ回転可能に保持し、中央大鋼球４ａの転がりを摩擦ホルダー２６で抑制し、前記下部材２と上部材３間の周囲複数箇所に、下部材２と上部材３を移動しないよう互に結合し、縦揺れによる下部材３の上昇で結合を自動的に解くトリガー機構５を設ける。【選択図】図１
2006299772.tif 000002
【特許請求の範囲】
【請求項１】
円盤状となる下部材の上面周囲に止まり縁を設け、前記下部材の直上に対向して配置する上部材の中央部に下部が一段小径となる筒孔を設け、この筒孔内の下部にスリーブを上下動可能に組み込み、前記筒孔内の上部にねじ込んだねじ付き蓋とスリーブの間に縦揺れを吸収するためのスプリングを縮設し、前記スリーブの下部で、下部材上へ当接する中央大鋼球とこの中央大鋼球を上部から支える３個以上の小鋼球をそれぞれ回転可能に保持して横揺れを吸収するようにし、このスリーブに中央大鋼球を包持してその転がりを抑制する摩擦ホルダーを設け、前記下部材と上部材間の周囲複数箇所に、下部材と上部材を移動しないよう互に結合し、縦揺れによる下部材の上昇で結合を自動的に解くトリガー機構を設け、前記下部材の周囲複数箇所に、周囲からスリーブを押すことにより、下部材に対して上部材を元の位置に戻すための復元手段を設けた免震装置。
【請求項２】
円盤状となる下部材の上面周囲に止まり縁を設け、前記下部材の直上に対向して配置する上部材の中央部に下部が一段小径となる筒孔を設け、この筒孔内の下部に水密状態で上下動可能に組み込んだスリーブと、前記筒孔内の上部に水密状態でねじ込んだねじ付き蓋で筒孔の内部を液体を収納する密閉室とし、前記筒孔の周囲に設けたアキュムレータと密閉室をオリフィスを介して接続し、前記密閉室内のねじ付き盖とスリーブの間に縦揺れを吸収するためのスプリングを縮設し、このスリーブの下部で、下部材上へ当接する中央大鋼球とこの中央大鋼球を上部から支える３個以上の小鋼球をそれぞれ回転可能に保持して横揺れを吸収するようにし、このスリーブに中央大鋼球を包持してその転がりを抑制する摩擦ホルダーを設け、前記下部材と上部材間の周囲複数箇所に、下部材と上部材を移動しないよう互に結合し、縦揺れによる下部材の上昇で結合を自動的に解くトリガー機構を設け、前記下部材の周囲複数箇所に、周囲からスリーブを押すことにより、下部材に対して上部材を元の位置に戻すための復元手段を設けた免震装置。
【請求項３】
上記復元手段が、下部材に設けた復元用のねじ孔と、このねじ孔にねじ込むことによってスリーブを押すネジ軸によって形成されている請求項１又は２に記載の免震装置。
【請求項４】
上記トリガー機構の近接位置に、下部材と上部材の間隔を縮めてトリガー機構の掛け止めを容易にする引き締め機構を設けた請求項１乃至３の何れかに記載の免震装置。
【請求項５】
上記筒孔内の上部にねじ込んだねじ付き蓋に、土台との隙間を埋めるためのねじを上下調整可能に取り付けた請求項１乃至４の何れかに記載の免震装置。
【請求項６】
上記下部材の上面が、中心部から周囲に向けて緩い登りとなる傾斜面になっている請求項１乃至６の何れかに記載の免震装置。
【発明の詳細な説明】
【技術分野】
【０００１】  この発明は、地震発生時の縦揺れと横揺れの何れの方向の揺れに対しても対応することができ、地震の揺れを建物構造物に伝わらないよう効果的に逃がすことができるようにした免震装置に関する。
【背景技術】
【０００２】  地震発生時の震動が建物構築物に直接伝わると、建物構築物が倒壊するだけでなく、この倒壊や家具類の倒れ等により、尊い人命が失われることになるので、建物構築物を免震装置で支持し、地震発生時の揺れを建物構造物に伝わらないようにすることが既に行われている。【０００３】  従来の免震装置としては、地面側に固定した皿板の上にボールを介して建物構造物を支持し、地震発生による皿板の移動をボールの回転により逃がし、建物構造物に大きな振動が伝わらないようにするタイプや、建物構造物を摺動部材で水平移動可能に支持し、この摺動部材にゴム部材によって建物構造物側に定位置に戻る弾性を付与し、地震発生による摺動部材の水平移動によって振動を逃がし、建物構造物に大きな振動が伝わらないようにするタイプがある（例えば、特許文献１と２参照）。
【特許文献１】  特開２００２−１１５４１９号公報
【特許文献２】  特開２０００−２５７３０３号公報
【発明の開示】
【発明が解決しようとする課題】
【０００４】  ところで、従来の免震装置は、何れのタイプにおいても、台風などによる揺れに対して構造的に不安定要素を含み、これを防ぐため、ショックアブソーバーの回路を手動や電気的に閉め、建物構造物を一時的に固定化する方法が採られているが、その後回路を開いておかねば地震に対して免震装置の機能が阻害され、極めて偶発的ではあるが、台風の最中に地震があった場合、折角の免震装置が働かないという問題がある。【０００５】  また、台風がおさまった時には、固定手段を開放する必要があり、固定手段を閉じたまま忘れると、地震に対して免震の機能を発揮できないことになる。【０００６】  更に、従来の免震装置は、地震の横揺れを想定したものばかりで、縦揺れにも対応できるものはなく、免震装置として機能的に十分なものではない。【０００７】  ここで、地震は、先ず縦揺れがあり、続いて横揺れとなる。縦揺れは建物の垂直方向の突き上げとなり、また、その加振によれ次に来る横揺れの振動を助け、横揺れを大きくすることになる。【０００８】  そこで、この発明の課題は、構造が簡単で強風によって建物構造物が移動することがなく、縦揺れ及び横揺れの両方に対する減衰効果の優れた免震装置を提供することにある。
【課題を解決するための手段】
【０００９】  上記のような課題を解決するため、この発明は、円盤状となる下部材の上面周囲に止まり縁を設け、前記下部材の直上に対向して配置する上部材の中央部に下部が一段小径となる筒孔を設け、この筒孔内の下部にスリーブを上下動可能に組み込み、前記筒孔内の上部にねじ込んだねじ付き蓋とスリーブの間に縦揺れを吸収するためのスプリングを縮設し、前記スリーブの下部で、下部材上へ当接する中央大鋼球とこの中央大鋼球を上部から支える３個以上の小鋼球をそれぞれ回転可能に保持して横揺れを吸収するようにし、このスリーブに中央大鋼球を包持してその転がりを抑制する摩擦ホルダーを設け、前記下部材と上部材間の周囲複数箇所に、下部材と上部材を移動しないよう互に結合し、縦揺れによる下部材の上昇で結合を自動的に解くトリガー機構を設け、前記下部材の周囲複数箇所に、周囲からスリーブを押すことにより、下部材に対して上部材を元の位置に戻すための復元手段を設けた構成を採用したものである。【００１０】  また、別の発明は、円盤状となる下部材の上面周囲に止まり縁を設け、前記下部材の直上に対向して配置する上部材の中央部に下部が一段小径となる筒孔を設け、この筒孔内の下部に水密状態で上下動可能に組み込んだスリーブと、前記筒孔内の上部に水密状態でねじ込んだねじ付き蓋で筒孔の内部を液体を収納する密閉室とし、前記筒孔の周囲に設けたアキュムレータと密閉室をオリフィスを介して接続し、前記密閉室内のねじ付き蓋とスリーブの間に縦揺れを吸収するためのスプリングを縮設し、このスリーブの下部で、下部材上へ当接する中央大鋼球とこの中央大鋼球を上部から支える３個以上の小鋼球をそれぞれ回転可能に保持して横揺れを吸収するようにし、このスリーブに中央大鋼球を包持してその転がりを抑制する摩擦ホルダーを設け、前記下部材と上部材間の周囲複数箇所に、下部材と上部材を移動しないよう互に結合し、縦揺れによる下部材の上昇で結合を自動的に解くトリガー機構を設け、前記下部材の周囲複数箇所に、周囲からスリーブを押すことにより、下部材に対して上部材を元の位置に戻すための復元手段を設けた構成を採用したものである。【００１１】  上記復元手段が、下部材に設けた復元用のねじ孔と、このねじ孔にねじ込むことによってスリーブを押すネジ軸によって形成されているようにしたり、上記トリガー機構の近接位置に、下部材と上部材の間隔を縮めてトリガー機構の掛け止めを容易にする引き締め機構を設けた構造とすることができる。【００１２】  また、上記筒孔内の上部にねじ込んだねじ付き蓋に、土台との隙間を埋めるためのねじを上下調整可能に取り付けたり、  上記下部材の上面が、中心部から周囲に向けて緩い登りとなる傾斜面になっているようにすることができる。【００１３】  ここで、下部材は基礎上にボルトで固定され、上部材の上面に建物の土台が固定され、建物は、ねじ付き蓋とスリーブの間に、予め建物及び家財の重量よりやや大きめに圧縮力を調整して縮設したスプリングの弾性によって支持され、地震の縦揺れはこのスプリングの収縮によって吸収されることになる。【００１４】  また、上記上部材の筒孔は、上部の大径孔と下部の小径孔の間に段部が設けられ、スリーブは、筒孔の大径���に納まる上段部と、筒孔の小径孔に嵌合する下段部の上下二段となり、ねじ付き蓋とスリーブの間のスプリングの収縮力で前記段部に当接した下限位置が規定される。【００１５】  このため、建物下部の免振装置のそれぞれに異なる上部荷重がかかっても下限位置は規定されているので、それぞれの免振装置の高さは一定となる。【００１６】  このスプリングは、中央位置とその周囲の複数箇所に配置した複数本からなり、ねじ付き蓋のねじ込み量によって圧縮弾性を調整することができ、このねじ付き蓋の下面とスプリングの上端間には、ねじ付き蓋の回転を円滑にするための滑り板が設けられている。【００１７】  上記スリーブ内の中央大鋼球を包持してその転がりを抑制する摩擦ホルダーは、中央大鋼球の側部周囲を包持するように、摩擦係数の高いブレーキライニングのような材料を用い、内部球面で外部が円筒状に形成され、転がりやすい中央大鋼球の回転を抑制することにより、横揺れ時の下部材に対するオーバーランの発生を防ぐものである。【００１８】  また、中央大鋼球を支える小鋼球の保持部は、小鋼球より少し大径の孔になり、内部空間にグリースが充填されている。【００１９】  前記下部材と上部材を互に結合するトリガー機構は、上部材の下面に固定した鉤型の上部トリガーと、下部材に揺動可能に枢止された偏荷重の下部トリガーと、下部トリガーを開放方向に引圧するスプリングとで形成され、上部トリガーと下部トリガーの爪先を互いに係合させることによって下部材と上部材を移動しないよう互に結合し、縦揺れによる下部材の上昇で爪先間に隙間が生じると、下部トリガーは倒れて結合を自動的に解くようになっている。【００２０】  また、横揺れのみの場合であっても、建物の僅かな傾斜の往復によって上部トリガーと下部トリガーは解放される。
【発明の効果】
【００２１】  この発明によると、上部材のねじ付き蓋とスリーブの間に縦揺れを吸収するためのスプリングを縮設し、前記スリーブの下部で、下部材上へ当接する中央大鋼球とこの中央大鋼球を上部から支える３個以上の小鋼球をそれぞれ回転可能に保持し、前記下部材と上部材間の周囲複数箇所に、下部材と上部材を移動しないよう互に結合し、縦揺れによる下部材の上昇で結合を自動的に解くトリガー機構を設けたので、地震発生時の縦揺れで下部材が上昇すると、スプリングの収縮でこの縦揺れを吸収することで、建物への縦揺れの伝達を緩衝することができ、同時に、上下部材間の高さが縮まることで、トリガー機構の結合が自動的に解け、下部材と上部材はフリーとなり、続く横揺れに対して、下部材の移動を中央大鋼球の回転で逃がし、上部材に横揺れが伝わるのを緩衝することができ、これにより、地震の縦揺れと横揺れの両方から建物を守ることができ、免震装置に求められる要求を総て満たすことができると共に、前記スリーブに中央大鋼球を包持してその転がりを抑制する摩擦ホルダーを設けることによって、横揺れ時の下部材に対する中央大鋼球のオーバーランの発生を防ぐことができ、大きな横振れにも免震機能を維持することができる。【００２２】  また、筒孔の内部を液体を収納する密閉室とし、前記筒孔の周囲に設けたアキュムレータと密閉室をオリフィスを介して接続したので、圧縮スプリングとオリフィスを出入りする液体の抵抗とによって、急速度の縦揺れがあっても、過激な縦揺れを緩衝して建物を保護することができる。【００２３】  更に、通常時は上部材と下部材がトリガー機構で結合されているので、強風による建物の移動発生を防ぐことができ、強風対策に全く手がかからないだけでなく、強風時の地震発生時にも免震機能を発揮することができると共に、地震がおさまったのちに下部材に対して上部材に位相のずれがあっても、復元手段によって正規の位置に上部材を戻すことができる。【００２４】  更にまた、地震がおさまったのちに外れたトリガー機構を係止する場合、引き締め機構によって下部材と上部材の間隔を縮めるようにすれば、トリガー機構の掛け止め作業が容易に行えることになる。
【発明を実施するための最良の形態】
【００２５】  以下、この発明の実施の形態を添付図面に基づいて説明する。【００２６】  図１乃至図３のように、免震装置１は、所定の平面的な大きさを有する円盤状の下部材２と、この下部材２の上部に対向して配置する円盤状の上部材３と、前記下部材２と上部材３の間に介在させる複数組の鋼球群４及び、前記下部材２と上部材３を結合するよう周囲の複数箇所に配置したトリガー機構５からなり、下部材２は、基礎Ａの上面にボルト６を用いて固定され、上面の周囲に円形の止まり縁７が起立状に設けられ、この止まり縁７で囲まれた上面は、図示の場合円盤状下部材２上面を中心部から周囲に向けて緩い登りとなる傾斜面にしたが、フラットな面とすることができる。【００２７】  このように、中心部から周囲に向けて緩い登りとなる傾斜面にすると、地震の揺れが終わった時、上部材３が円盤状下部材２の傾斜面の途中にあっても、鋼球群４は下部材２の中央部に転がり、元の状態に自動的に復帰することになる。【００２８】  上記上部材３は、その上面に土台Ｂが直接又は土台Ｂを囲むＵ形鉄板を介して固定され、この上部材３の中央部が下向きに突出する筒壁８となり、この筒壁８内を上下に貫通する筒孔９は、上部の大径孔９ａと下部の小径孔９ｂからなり、その間に段部９ｃが形成され、大径孔９ａの上部内周面には雌ねじ１０が設けられている。【００２９】  上記筒孔９内には、上部にねじ付き蓋１１がＵパッキン５０で水蜜状となるようねじ込まれ、下部にスリーブ１２がＯリング５１で水蜜状となるよう上下動可能に組み込まれ、筒孔９内のねじ付き蓋１１とスリーブ１２の間がオイルを充填した密閉室５２となり、前記筒孔９の周囲に設けたアキュムレータ５３と密閉室５２を、スリーブ１２の上部フランジ１２ａに設けたオリフィス５４を介して接続し、スリーブ１２が上下動した時オリフィス５４を出入りするオイルの抵抗によって、スリーブ１２の上下動を抑制し、これによって急速度の縦揺れを緩衝するようになっている。【００３０】  このオリフィス５４は、六角孔付きスクリュウプラグの中に適宜の大小孔があけられた構造を有し、必要なものを選択してスリーブ１２の上部フランジ１２ａにねじ込んで取付けるようになっている。【００３１】  また、上記密閉室５２内には、ねじ付き蓋１１とスリーブ１２の間に縦揺れを吸収するための多数のスプリング１３が縮設されている。【００３２】  上記スリーブ１２は、筒孔９の大径孔９ａにきっちりと納まる大径の上段フランジ部１２ａと、筒孔９の小径孔９ｂに嵌合する小径の下段部１２ｂの上下二段となり、スプリング１３の伸長弾性力で上段フランジ部１２ａが前記段部９ｃに当接した下限位置が規定される。【００３３】  上記スプリング１３は、中央位置とその周囲の複数箇所に円状に配置した複数本からなり、ねじ付き蓋１１のねじ込み量によって圧縮弾性を調整することができ、このねじ付き蓋１１の下面とスプリング１３の上端間には、ねじ付き蓋１１の回転を円滑にするための滑り板１４が設けられている。【００３４】  また、上記ねじ付き蓋１１に、土台Ｂとの隙間を埋めるためのねじ１５が上下調整可能に取り付けられ、上下動の激しいときにねじ付き蓋１１が破損するのを防ぐようになっている。【０���３５】  図５のように、上記スリーブ１２の上面には、中心部とその周囲複数箇所にスプリング１３の下端を嵌め込むための突起１６が設けられ、スプリング１３の位置ずれの発生がないようになっていると共に、スリーブ１２の下部で鋼球群４を保持している。【００３６】  この鋼球群４は、下部材２上へ当接する状態で回転可能となる中央大鋼球４ａと、この中央大鋼球４ａを上部から支える３個以上の小鋼球４ｂとからなり、スリーブ１２の中央大鋼球４ａが納まる部分は中央大鋼球４ａの直径よりも大径の円筒孔１７となり、小鋼球４ｂの保持孔１８は小鋼球４ｂより少し大径となり、小鋼球４ｂの回転を可能にしている。【００３７】  上記スリーブ１２の中央大鋼球４ａが納まる円筒孔１７には、中央大鋼球４ａを包持してその転がりを抑制する摩擦ホルダー２６が組み込み固定されている。【００３８】  この摩擦ホルダー２６は、中央大鋼球４ａの側部周囲を包持するように、摩擦係数の高いブレーキライニングのような材料を用い、図４（ａ）のように、内部球面で外部が円筒状になり、一箇所に縦の切れ目２７を設けたものや、図４（ｂ）のように二つ割の構造に形成され、中央大鋼球４ａを押し込めた摩擦ホルダー２６をスリーブ１２の円筒孔１７に下部から組込み、スリーブ１２の下端にねじ止めした座金２８にて固着することにより、摩擦ホルダー２６で中央大鋼球４ａに制動力を与え、転がりやすい中央大鋼球４ａの回転を抑制することにより、横揺れ時の下部材２に対するオーバーランの発生を防ぐものである。なお、小鋼球４ｂの保持孔１８の内部空間にグリースが充填されている。【００３９】  前記下部材２と上部材３を互に結合するトリガー機構５は、上部材３の下面で外周部に固定した下向き鉤型の上部トリガー１９と、下部材２の止まり縁７よりも外側の位置に下端をピン２０で揺動可能に枢止された偏荷重の下部トリガー２１と、下部トリガー２１を外側開放方向に引圧するよう下部材２との間に張設したスプリング２２とで形成され、上部トリガー１８と下部トリガー２１の爪先を互いに係合させることによって下部材２と上部材３を移動しないよう互に結合し、縦揺れによる下部材２の上昇で爪先間に隙間が生じると、下部トリガー２１は自重とスプリング２２の作用で外側に倒れて結合を自動的に解くようになっている。【００４０】  図示の場合、下部トリガー２１の爪先には、上部トリガー１９の爪先に対して係止状態を調節する押さえねじ２３が装着してある。【００４１】  なお、上部材３の左右両側には、下部材２又は基礎Ａとの間に設けるショックアブソーバー２４の取り付け部２５があり、ショックアブソーバー２４が上部材３の横揺れに対して緩衝するようになっている。【００４２】  このショックアブソーバー２４は、図４（ｂ）に示すように、フラットプレート２９の一端側に設けたねじ軸通し３０に長いねじ軸３１を挿通し、このねじ軸３１の先端を基礎Ａに固定した固定部材３２にピン３３で連結し、ねじ軸３１に螺合したナット３４とねじ軸通し３０の間にスプリング３５を縮設し、フラットプレート２９の他端を上部材３の取り付け部２５とピンで結合する構造を有し、スプリング３５の弾性によって上部材３の横揺れに対して緩衝するようになっている。【００４３】  図１のように、上記下部材２の周囲複数箇所に、周囲からスリーブ１２を押すことにより、下部材２に対して上部材３を元の位置に戻すための復元手段３６が設けられ、上記トリガー機構５の近接位置に、下部材２と上部材３の間隔を縮めてトリガー機構５の掛け止めを容易にする引き締め機構３７を設けられている。【００４４】  上記復元手段３６は、下部材２の周囲止まり縁７に放射状の配置で設けた内外に貫通する水平の復元用ねじ孔３８と、このねじ孔３８にねじ込むことによってスリーブ１２を押すねじ軸３９によって形成され、スリーブ１２の外周面でねじ孔３８の延長線上の位置には、ねじ軸３９の先端が収まる逃げ止め孔４０が設けられている。【００４５】  上記トリガー機構５の近接位置に設けた引き締め機構３７は、下部材２と上部材３の間隔を縮めてトリガー機構５の掛け止めを容易にするため、上部トリガー１９の側部に設けた凸部４１と、下部材２の外周に設けた凸部４２と、両凸部４１と４２を上下に貫通して締め付ける締め付けねじ４３で形成されている。【００４６】  この発明の免震装置は、上記のような構成であり、建物構造物の構築時において、建物構造物の大きさや重量配分等の条件に合わせて免震装置１の配置位置と数を設定し、コンクリート基礎Ａの上に下部材２を固定し、この下部材２の上に臨ませた上部材３の鋼球群４が下部材２の上面に当接する状態で周囲のトリガー機構５を結合し、ねじ付き蓋１１を回転操作してスプリング１３の圧縮弾性を建物の重量等に合わせて設定し、この後、建物の土台Ｂを上部材３上に固定する。【００４７】  通常、免震装置１は、図１のように、中央大鋼球４ａが下部材２の中心部に位置し、スプリング１３が建物の重量を支持していると共に、トリガー機構５の結合により、下部材２と上部材３は互に固定化され、強風による建物の揺れを防いでいる。【００４８】  上記の支持状態で地震が発生し、縦揺れまたは、縦揺れと横揺れの複合した振動が加わると、図２のように、縦揺れによって基礎Ａと共に下部材２が一体に上昇し、下部材２が鋼球群４を介してスリーブ１２を押し上げ、筒孔の内部密閉室に重点したオイルがオリフィスを通過することで抵抗が生じ、また、スリーブ１２上のスプリング１３は、予め建物及び家財の重量により圧縮されているが、縦揺れのときには更に加重圧縮されることで、突き上げの縦揺れから生じる鉛直荷重を吸収して緩衝することになり、圧縮スプリングとオリフィスを出入りする液体の抵抗とによって、建物への縦揺れの伝達を吸収する。【００４９】  また、基礎Ａが下がる揺れのときには、圧縮されたスプリング１３が伸びることで、建物は上下位置に変化が生じないことになるが、例えば、建物に上昇が生じた場合、オリフィスを通過するオイルの抵抗でゆっくり緩衝されて下降させることができ、これにより、建物における土台Ａや梁からの柱の抜けを防止することができる。【００５０】  上記のように、縦揺れでスプリング１３を圧縮して下部材２が上昇すると、下部材２と上部材３の間隔が接近し、上部トリガー１９に対して下部トリガー２１が上昇することで両者の爪先の係合が解け、下部トリガー２１は自重とスプリング２２の作用で外側に倒れて下部��２と上部材３の結合を自動的に解くことになる。【００５１】  下部材２と上部材３の結合が解かれた状態で、横揺れによって下部材２か横移動すると、鋼球群４の下部材２上に載る中央大鋼球４ａが回転することで、横揺れが上部材３に伝達するのを逃がし、従って、上部材３とその上にある建物には横揺れが伝わらず、建物の横揺れ発生を緩衝することができ、横揺れの振幅が収まると、下部材２の傾斜面やショックアブソーバー２４の作用により、下部材２と鋼球群４の位置関係は元に戻り、これによって、建物を地震の振動から保護することができる。【００５２】  上記横揺れ発生時において、転がりやすい中央大鋼球４ａの回転を摩擦ホルダー２６で抑制することにより、横揺れ時の下部材２に対する中央大鋼球４ａのオーバーランの発生を防ぐことができ、中央大鋼球４ａが下部材２から外れるようなことがないので、大きな横振れに対しても免震機能を維持することができる。【００５３】  また、下部材２は円盤状に形成され、中央大鋼球４ａは全方向に転動可能であるので、３６０°全方向の振動に対応することができる。【００５４】  地震がおさまった後に下部材２に対して上部材３に位相のずれがある場合、図３のように、偏心した側からねじ孔３８に螺合したねじ軸３９でスリーブ１２を押せば正規の位置に上部材３を戻すことができる。【００５５】  地震がおさまると、下部トリガー２１を引き起こし、押さえねじ２３を戻した後、上部トリガー１９に係合させて押さえねじ２３を締め、下部材２と上部材３を結合することにより、強風による建物の揺れを防ぐと共に次の地震に備えるようにすればよい。【００５６】  この場合、通常上下間隔は変わらないが、もし、係止作業が行いにくい場合は、引き締め機構３７によって下部材２と上部材３の間隔を縮めるようにすれば、トリガー機構５の掛け止め作業が容易に行えることになる。
【図面の簡単な説明】
【００５７】
【図１】この発明に係る免震装置の通常時の縦断正面図
【図２】縦揺れ発生時の免震装置の状態を示す縦断正面図
【図３】免震装置の復旧時の状態を示す縦断正面図
【図４】（ａ）と（ｂ）は免震装置に組み込み使用する摩擦ホルダーの異なった例を示す斜視図、（ｂ）は同じくショックアブソーバーの正面図
【図５】（ａ）は免震装置の上部材におけるスリーブとスプリングの配置を拡大した横断平面図、（ｂ）は鋼球群を保持するスリーブの斜視図
【符号の説明】
【００５８】１        免震装置
２        下部材
３        上部材
４        鋼球群
４ａ      中央大鋼球
５        トリガー機構
６        ボルト
７        止まり縁
８        筒壁
９        筒孔
１０      雌ねじ
１１      ねじ付き蓋
１２      スリーブ
１３      スプリング
１４      滑り板
１５      ねじ
１６      突起
１７      保持孔
１８      保持孔
１９      上部トリガー
２０      ピン
２１      下部トリガー
２２      スプリング
２３      押さえねじ
２４      ショックアブソーバー
２５      取り付け部
２６      摩擦ホルダー
２７      切れ目
２８      座金
２９      フラットプレート
３０      ねじ軸通し
３１      ねじ軸
３２      固定部材
３３      ピン
３４      ナット
３５      スプリング
３６      復元手段
３７      引き締め機構
３８      ねじ孔
３９      ねじ軸
４０      逃げ止め孔
４１      凸部
４２      凸部
４３      締め付けねじ
５０      Ｕパッキン
５１      Ｏリング
５２      密閉室
５３      アキュムレータ
５４      オリフィス
【図１】
2006299772.tif 000003
【図２】
2006299772.tif 000004
【図３】
2006299772.tif 000005
【図４】
2006299772.tif 000006
【図５】
2006299772.tif 000007